(57)【要約】【課題】汎用の電子機器をオーダーエントリ業務に用いる場合の、操作性の向上を図ることが可能な電子機器用ケースを提供する。【解決手段】前面に表示画面を備えた携帯型の電子機器に取り付けられる電子機器用ケースであって、前記電子機器の前面を露出した状態で、当該電子機器を着脱可能に保持する本体部と、前記本体部に取り付けられた電子機器に接続する接続部と、前記電子機器の前面を開閉可能に覆うカバー部と、前記カバー部の前記電子機器の前面に対向する面側に設けられ、データ入力用の操作子を有する第１操作部と、を備え、前記接続部は、前記第１操作部の操作子に対する操作に応じた情報を前記電子機器に入力する。【選択図】図１
2018136643.tif 000002
【特許請求の範囲】
【請求項１】
前面に表示画面を備えた携帯型の電子機器に取り付けられる電子機器用ケースであって、
前記電子機器の前面を露出した状態で、当該電子機器を着脱可能に保持する本体部と、
前記本体部に取り付けられた電子機器に接続する接続部と、
前記電子機器の前面を開閉可能に覆うカバー部と、
前記カバー部の前記電子機器の前面に対向する面側に設けられ、データ入力用の操作子を有する第１操作部と、
を備え、
前記接続部は、前記第１操作部の操作子に対する操作に応じた情報を前記電子機器に入力する電子機器用ケース。
【請求項２】
前記本体部は、前記電子機器を側面から支持する側壁部と、当該側壁部の外壁面に設けられ、前記データ入力用の操作子を有する第２操作部とを有し、
前記接続部は、前記第２操作部の操作子に対する操作に応じた情報を前記電子機器に入力する請求項１に記載の電子機器用ケース。
【請求項３】
前記データ入力に係るプログラムを記憶した記憶部を更に備え、
前記接続部は、前記電子機器に対し前記記憶部に記憶されたプログラムを実行可能に提供する請求項１又は２に記載の電子機器用ケース。
【請求項４】
前記記憶部は、前記電子機器が予め備える特定の機能を無効化するためのプログラムを記憶する請求項３に記載の電子機器用ケース。
【請求項５】
前記本体部は、二次電池を更に有し、
前記接続部は、前記電子機器に対し前記二次電池の電力を供給する請求項１〜４の何れか一項に記載の電子機器用ケース。
【発明の詳細な説明】
【技術分野】
【０００１】
本発明の実施形態は、電子機器用ケースに関する。
【背景技術】
【０００２】
従来、レストラン等の飲食店では、ハンディターミナルと呼ばれる専用端末を用いることでオーダーエントリ業務が行われている。ハンディターミナルには、各種メニューを指定するためのメニューキーや、トッピング等を指定するためのオプションメニューキー、テンキー等、オーダーエントリ業務に係る操作キーが設けられている。店員は、客から受け付けたオーダーをハンディターミナルに入力することで、オーダーエントリ業務を行う。ハンディターミナルに入力されたオーダー内容は、オーダー情報として店舗内に設けられたオーダーステーション等に送信される。
【０００３】
また、近年では、スマートフォン等の汎用の電子機器に、オーダーエントリ用のアプリケーションを導入することで、ハンディターミナルとして用いることが行われている。係る汎用の電子機器では、表示画面（タッチパネル）に対するタッチ操作が主となるため、上述したメニューキー、オプションメニューキー、テンキー等の表示画面（入力画面）を切り替えながらオーダーエントリ業務を行うことになる。
【０００４】
ところで、汎用の電子機器では、表示画面の大きさが制限されるため、１画面に表示できるメニュー数に限界がある。そのため、従来では、メニューを選択するためのメニュー画面を多階層等で表示することで、多くのメニューに対応している。しかしながら、係る操作方法では画面の切り替え等で操作が煩雑となるため操作性が悪く、接客に要する時間が長くなる等オーダーエントリ業務の妨げとなる可能性があった。
【発明の概要】
【発明が解決しようとする課題】
【０００５】
本発明の実施形態が解決しようとする課題は、汎用の電子機器をオーダーエントリ業務に用いる場合の、操作性の向上を図ることが可能な電子機器用ケースを提供することである。
【課題を解決するための手段】
【０００６】
実施形態の電子機器用ケースは、前面に表示画面を備えた携帯型の電子機器に取り付けられる電子機器用ケースであって、前記電子機器の前面を露出した状態で、当該電子機器を着脱可能に保持する本体部と、前記本体部に取り付けられた電子機器に接続する接続部と、前記電子機器の前面を開閉可能に覆うカバー部と、前記カバー部の前記電子機器の前面に対向する面側に設けられ、データ入力用の操作子を有する第１操作部と、を備え、前記接続部は、前記第１操作部の操作子に対する操作に応じた情報を前記電子機器に入力する。
【図面の簡単な説明】
【０００７】
【図１】図１は、実施形態に係る電子機器用ケースの構成の一例を示す図である。
【図２】図２は、実施形態の電子機器用ケースに電子機器を取り付けた状態を示す図である。
【図３】図３は、実施形態に係る電子機器用ケースと電子機器とのハードウェア構成を模式的に示す図である。
【図４】図４は、実施形態に係る電子機器用ケースと電子機器との動作の一例を示すシーケンス図である。
【図５】図５は、実施形態に係る電子機器用ケースの他の構成例を示す図である。
【図６】図６は、実施形態に係る電子機器用ケースの他の構成例を示す図である。
【発明を実施するための形態】
【０００８】
以下、実施形態に係る電子機器用ケースについて、図面を参照して説明する。なお、以下の実施形態では、本発明の電子機器用ケースを、飲食店でのオーダーエントリ業務に用いる例について説明するが、この実施形態によりこの発明が限定されるものではない。
【０００９】
図１は、本実施形態に係る電子機器用ケース１０の構成の一例を示す図である。電子機器用ケース１０は、電子機器２０を収納するためのケースである。電子機器２０は、前面にディスプレイ（タッチパネル）が配置された、スマートフォンやタブレット端末等の携帯型の電子機器である。なお、電子機器２０は、店舗の従業員が私用で所持するものであってもよいし、店舗から各従業員に配布されるものであってもよい。
【００１０】
電子機器２０は、図１に示すように、略長方体形状の筐体２１を有する。電子機器２０の前面側には、ＬＣＤ（Liquid  Crystal  Display）等の表示部２２が配置され、この表示部２２の面上にタッチパッド２３が配置されている。表示部２２には各種の情報が表示される。タッチパッド２３は、表示部２２の画面上に対する指の操作位置を検出可能なタッチパネルであり、例えば、静電容量式のタッチセンサで構成される。
【００１１】
電子機器２０の側面には、ｍｉｃｒｏＵＳＢ（Universal  Serial  Bus）等のコネクタや、コントローラ等を備えた接続部２４が設けられている。電子機器２０は、接続部２４を介して、外部装置（例えば、電子機器用ケース１０）と電気的に接続される。
【００１２】
電子機器用ケース１０は、図１に示すように、電子機器２０を着脱可能に取り付けることが可能な本体部１１と、この本体部１１に回動支持部１２によって接続されたカバー部１３とを備える。回動支持部１２は、例えばヒンジ等であり、当該回動支持部１２を介してカバー部１３は本体部１１に対して回動可能に接続される。
【００１３】
本体部１１は、電子機器２０が取り付けられた状態で電子機器２０の裏面に対向する底面部１１１と、当該底面部１１１の周縁に立設された側壁部１１２とを有する。底面部１１１は、電子機器２０の形状に応じた略長方形状を有する。側壁部１１２は、電子機器２０の厚みに応じた高さを有し、電子機器２０を側面から支持する。
【００１４】
また、側壁部１１２の内壁面、つまり電子機器２０と接触する面側には、電子機器２０の接続部２４に対応する位置に、接続部１１３（図３参照）が設けられている。接続部１１３は、接続部２４のコネクタ形状に対応したコネクタ等を有し、本体部１１に電子機器２０が取り付けられる際に、電子機器２０の接続部２４と電気的に接続される。
【００１５】
また、側壁部１１２の外壁面、つまり側壁部１１２の内壁面に対向する面側には、サイドキー１１４が設けられている。サイドキー１１４は、第２操作部の一例であり、データ入力用の各種の操作子を有する。サイドキー１１４は、例えば上下方向を指示するための方向キーや確定キー等のオーダーエントリ業務に係る各種の操作子を有する。なお、サイドキー１１４が設けられる位置は特に問わないものとするが、本体部１１を把持した際に、親指等の指が位置するあたりに設けることが好ましい。
【００１６】
また、側壁部１１２の外壁面には、電源接続部１１５が設けられる。電源接続部１１５は、受電用のコネクタを備え、図示しないケーブル等を介して外部電源に接続される。
【００１７】
カバー部１３は、本体部１１に取り付けられた電子機器２０の前面を開閉可能に構成されている。カバー部１３の電子機器２０の前面に対向する面側には、データ入力用のメインキー１３１が設けられている。メインキー１３１は、第１操作部の一例であり、例えば、数値を入力するためのテンキー、各種のメニューを選択するためのメニューキー、トッピング等を選択するためのオプションメニューキー等のオーダーエントリ業務に係る各種の操作子を有する。なお、各キーには、当該キーの機能を表す名称等を表記しておくことが好ましい（図２参照）。
【００１８】
上記構成の電子機器用ケース１０において、従業員等のユーザは、電子機器２０の前面を上に向けた状態で、当該電子機器２０を底面部１１１及び側壁部１１２が形成する凹部Ｄ１に嵌め込むことで、電子機器２０を本体部１１に取り付けることができる。
【００１９】
図２は、電子機器用ケース１０に電子機器２０を取り付けた状態を示す図である。ここで、図２（ａ）は、カバー部１３を閉めた状態（閉状態）を示している。また、図２（ｂ）は、電子機器用ケース１０に電子機器２０を取り付けた状態を示す図であり、カバー部１３を開けた状態（開状態）を示している。
【００２０】
電子機器用ケース１０では、図２（ａ）に示すように、カバー部１３を閉状態とすることで、電子機器２０の表示画面をカバー部１３で保護することができる。また、電子機器用ケース１０では、図２（ｂ）に示すように、カバー部１３を開状態とすることで、メインキー１３１に対する操作を行うことができる。なお、サイドキー１１４は、カバー部１３が開状態であることを条件に、メインキー１３１やサイドキー１１４に対する操作を有効化する構成としてもよい。この場合、例えば、カバー部１３の開閉状態を検知する開閉センサを電子機器用ケース１０に設け、開閉センサの検知結果に基づいて操作の有効／無効を切り替える構成としてもよい。
【００２１】
図３は、電子機器用ケース１０と電子機器２０とのハードウェア構成を模式的に示す図である。電子機器用ケース１０は、図３に示すように、上述した接続部１１３、サイドキー１１４、電源接続部１１５及びメインキー１３１の他、記憶部１４を備える。
【００２２】
電源接続部１１５は、外部電源から供給された電力を電子機器用ケース１０の各部に供給する。
【００２３】
接続部１１３は、電気的に接続された電子機器２０との間で、電力の授受や各種情報の授受を行う。具体的には、接続部１１３は、電源接続部１１５を介して供給された電力を、電子機器用ケース１０の各部に供給する。これにより、電子機器２０は、電子機器用ケース１０を取り付けた状態で、充電などのため外部電源から電力の供給を受けることができる。
【００２４】
また、接続部１１３は、電子機器２０から供給された電力を電子機器用ケース１０の各部に供給する。具体的には、接続部１１３は、電源接続部１１５に外部電源が接続されていない場合に、電子機器２０から供給された電力を電子機器用ケース１０の各部に供給する。
【００２５】
また、接続部１１３は、サイドキー１１４やメインキー１３１に対するキー操作を受け付けると、そのキー操作に応じた情報（操作信号）を、電子機器２０に出力する。
【００２６】
また、接続部１１３は、電子機器２０に対し記憶部１４に記憶されたアプリケーション（プログラム）や設定情報等を実行可能（読み出し可能）に提供する。
【００２７】
記憶部１４は、例えば、本体部１１（底面部１１１）に内蔵され、フラッシュメモリやＳＳＤ（Solid  State  Drive）等の不揮発性の記憶媒体を備える。記憶部１４は、電子機器用ケース１０の動作に係る各種のデータを、接続部１１３に接続された電子機器２０から読み出し可能に記憶する。
【００２８】
具体的には、記憶部１４は、接続された電子機器２０に実行させるためのプログラムを記憶する。係るプログラムは、電子機器用ケース１０に収納された電子機器２０を、オーダーエントリ用のハンディターミナルとして機能させるためのプログラムを有する。
【００２９】
例えば、記憶部１４は、サイドキー１１４及びメインキー１３１による操作入力を可能とするための第１のプログラム（デバイスドライバ等）を記憶する。
【００３０】
また、記憶部１４は、電子機器２０が備える無線通信部２０５を、ＬＡＮ（Local  Area  Network）等の店舗に設けられたネットワーク（以下、店舗内ネットワークという）に接続させるための第２のプログラムを記憶する。なお、店舗内ネットワークには、注文情報を管理するためのオーダステーション（図示せず）が接続されているものとする。
【００３１】
また、記憶部１４は、電子機器２０をオーダーエントリ用のハンディターミナルとして機能させるための第３のプログラムを記憶する。第３のプログラムは、例えば、各種メニューのオーダーを受け付けるためのＧＵＩ（Graphical  User  Interface）を表示部２２に表示させるための機能を有する。また、第３のプログラムは、例えば、サイドキー１１４やメインキー１３１を介して入力されたメニューを示す注文情報を、無線通信部２０５を介してオーダステーション（図示せず）に無線送信させるための機能を有する。
【００３２】
また、記憶部１４は、電子機器２０が予め備える機能を無効化するための第４のプログラムを記憶する。無効化の対象となる機能は特に問わないものとするが、例えばモバイル通信機能等、オーダーエントリ業務に不要な機能を対象とすることが好ましい。
【００３３】
また、記憶部１４は、上記した各プログラムの実行に係る各種の設定情報を記憶する。例えば、記憶部１４は、サイドキー１１４やメインキー１３１のキー配列や、各キーに割り当てられた機能等が設定された設定情報を記憶する。また、記憶部１４は、店舗内ネットワークに接続するためのパスワードや、オーダステーション（図示せず）のＩＰアドレス等、無線通信に係る設定情報を記憶する。
【００３４】
一方、電子機器２０は、図３に示すように、上述した表示部２２、タッチパッド２３及び接続部２４とともに、ＣＰＵ２０１、ＲＯＭ２０２、ＲＡＭ２０３、記憶部２０４、無線通信部２０５、モバイル通信部２０６、音声入出力部２０７、二次電池２０８等を備える。
【００３５】
ＣＰＵ２０１は、電子機器２０の各部の動作を制御する。ＲＯＭ２０２は、ＣＰＵ２０１が実行するプログラムを記憶している。ＲＡＭ２０３は、ＣＰＵ２０１のワークエリアとして使用される。記憶部２０４は、フラッシュメモリやＳＳＤ等の記憶媒体であって、ＣＰＵ２０１が実行するプログラムやオペレーティングシステム等を記憶する。
【００３６】
無線通信部２０５は、ＷｉＦｉ等の無線通信を行うことが可能な通信インタフェースである。モバイル通信部２０６は、第４世代等のモバイル通信を行うことが可能な通信インタフェースである。音声入出力部２０７は、マイクロフォンやスピーカ等を有する。
【００３７】
二次電池２０８は、接続部２４を介して外部電源から供給される電力を蓄電（充電）する。また、二次電池２０８は、蓄電した電力を電子機器２０の各部に供給する。
【００３８】
上記した構成において、電子機器２０のＣＰＵ２０１は、接続部２４を介して電子機器用ケース１０の記憶部１４に記憶されたプログラムを実行することで、オーダーエントリ業務に係る各種の機能を実現する。
【００３９】
次に、図４を参照して、電子機器用ケース１０及び電子機器２０の動作の一例について説明する。図４は、電子機器用ケース１０と電子機器２０との動作の一例を示すシーケンス図である。
【００４０】
電子機器用ケース１０に電子機器２０が取り付けられ、接続部１１３と接続部２４とが電気的に接続されると（ステップＳ１１）、接続部１１３は、電子機器２０に対し記憶部１４をアクセス可能な状態とする（ステップＳ１２）。
【００４１】
続いて、電子機器２０のＣＰＵ２０１は、電子機器用ケース１０の記憶部１４にアクセスし、記憶部１４に記憶されたプログラム及び設定情報を読み出す（ステップＳ１３）。
【００４２】
次いで、電子機器２０のＣＰＵ２０１は、読み出したプログラムを設定情報に基づいて実行することで（ステップＳ１４）、オーダーエントリ業務に係る各種機能を実現させる（ステップＳ１５）。
【００４３】
具体的には、電子機器２０のＣＰＵ２０１は、第１のプログラムを実行することで、サイドキー１１４及びメインキー１３１を介した操作入力を受け付け可能な状態とする。また、電子機器２０のＣＰＵ２０１は、第２のプログラムを実行することで、無線通信部２０５を店舗内ネットワークに接続させる。また、電子機器２０のＣＰＵ２０１は、第３のプログラムを実行することで、オーダーエントリ用のＧＵＩを表示部２２に表示させる。そして、電子機器２０のＣＰＵ２０１は、第４のプログラムを実行することで、オーダーエントリ業務に不要なモバイル通信部２０６等の機能部を停止させる。
【００４４】
以上の処理により、電子機器２０では、電子機器用ケース１０に設けられたサイドキー１１４及びメインキー１３１を、入力デバイスとして使用することが可能となる。これにより、客から受け付けたメニュー等の入力をサイドキー１１４及びメインキー１３１のキー操作で行うことができるため、メニュー画面を切り替えながらメニューを入力する操作方法と比較し、オーダーエントリ業務を容易かつ効率的に行うことができる。すなわち、電子機器用ケース１０に電子機器２０を取り付けることで、当該電子機器用ケース１０及び電子機器２０を、オーダーエントリ用の専用端末（ハンディターミナル）と同様に使用することができる。
【００４５】
また、電子機器用ケース１０は、オーダーエントリ業務に係るプログラムや設定情報を記憶し、電子機器２０に対し読み取り可能に提供するため、電子機器２０において、オーダーエントリ業務用の準備を容易かつ効率的に行うことができる。また、電子機器用ケース１０では、メニュー等のＧＵＩの表示機能や店舗内ネットワークとの通信機能を、電子機器２０を用いて実現できるため、オーダーエントリ業務用の専用端末と比較し、製造コストを削減することができる。また、電子機器用ケース１０では、電子機器２０が具備する機能のうち、オーダーエントリ業務に不要な機能を無効化することができるため、例えば、従業員が所持するスマートフォン等の汎用の電子機器２０を、有効に活用することができる。
【００４６】
以上、本発明の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００４７】
例えば、上記実施形態では、電子機器２０のＣＰＵ２０１は、電子機器用ケース１０に記憶されたプログラムを読み出して実行する構成としたが、この構成に限らないものとする。具体的には、電子機器２０のＣＰＵ２０１は、電子機器用ケース１０の記憶部１４から読み出したプログラムを自装置に導入（インストール）することで、当該プログラムを自装置の記憶部２０４に保持する構成としてもよい。この場合、例えば電子機器２０のＣＰＵ２０１は、電子機器用ケース１０との初回の接続時に、電子機器用ケース１０の記憶部１４に記憶されたプログラムや設定情報を、自装置の記憶部２０４にインストール又はコピーを行う。また、次回以降の接続時には、電子機器２０のＣＰＵ２０１は、電子機器用ケース１０の記憶部１４に記憶されたプログラムや設定情報のバージョンを参照し、自装置に導入されたバージョンよりも新しい場合に更新する構成としてもよい。
【００４８】
また、上記実施形態では、メインキー１３１をハードウェアキーとしたが、これに限らず、例えば、電子ペーパーやタッチパネル技術等を用いることで、ソフトウェアキーで構成してもよい。
【００４９】
また、上記実施形態では、本体部１１の側壁部１１２とカバー部１３とのそれぞれに操作部（サイドキー１１４、メインキー１３１）を設けた構成としたが、操作部を設ける位置や個数はこれに限らないものとする。ここで、図５は、電子機器用ケース１０の他の構成例を示す図であり、第３の操作部を備えた例を示している。この図５では、電子機器用ケース１０の本体部１１において、電子機器２０（表示部２２）の下方となる位置に、データ入力用のサブキー１１６を設けた例を示している。サブキー１１６は、例えばテンキー等のオーダーエントリ業務に係る各種の操作子を有する。このように、電子機器用ケース１０を把持した際に、キー操作を容易に行うことが可能な位置にサブキー１１６を設けることが好ましい。なお、サブキー１１６のキー配列や各キーに割り当てられた機能は、設定情報に設定されるものとする。
【００５０】
また、上記実施形態では、電子機器用ケース１０は、電子機器２０又は外部電源からの供給電力で動作する構成を説明したが、これに限らず、電子機器用ケース１０が二次電池を備え、当該二次電池からの供給電力で動作する構成としてもよい。
【００５１】
図６は、電子機器用ケース１０の他の構成例を示す図であり、カバー部１３を閉じて、本体部１１の底面を上に向けた状態を示している。図６（ａ）に示すように、本体部１１は、二次電池１１７を着脱可能に取り付けるための凹部Ｄ２を備える。凹部Ｄ２の壁面には、電源端子（図示せず）が設けられている。二次電池１１７は、図６（ｂ）に示すように本体部１１の凹部Ｄ２に嵌め込まれることで、本体部１１に取り付けられる。二次電池１１７は、電源接続部１１５を介して外部電源から供給される電力を蓄電（充電）する。また、二次電池１１７は、外部電源との接続が切断されると、蓄えた電力を電子機器用ケース１０の各部に供給する。なお、接続部１１３は、二次電池１１７から供給される電力を電子機器２０に供給する構成としてもよい。
【００５２】
図６の構成を採用した場合、電子機器用ケース１０単体で、駆動電力を賄うことができるため、電子機器２０の電力消費量を抑えることができる。また、電子機器２０や二次電池１１７の蓄電量が低下した場合には、別途充電された二次電池１１７と取り替えることで、オーダーエントリ業務に使用可能な時間を延長することができる。
【符号の説明】
【００５３】
１０  電子機器用ケース
１１  本体部
１１１  底面部
１１２  側壁部
１１３  接続部
１１４  サイドキー
１１５  電源接続部
１１６  サブキー
１１７  二次電池
１２  回動支持部
１３  カバー部
１３１  メインキー
２０  電子機器
２１  筐体
２２  表示部
２３  タッチパッド
２４  接続部
【先行技術文献】
【特許文献】
【００５４】
【特許文献１】特開２０１３−１８７６３６号公報
【図１】
2018136643.tif 000003
【図２】
2018136643.tif 000004
【図３】
2018136643.tif 000005
【図４】
2018136643.tif 000006
【図５】
2018136643.tif 000007
【図６】
2018136643.tif 000008